(57)【要約】【課題】多彩な画像表示を行うことができる画像表示装置および遊技機を提供する。【解決手段】画像表示装置２は、画像を表示する装置本体３と、装置本体３から入射される光を反射させる反射手段４とを備える。装置本体３は、第１画像を形成するサブ画素７１、及び、第２画像を形成するサブ画素７２をそれぞれ有する複数の画素７と、サブ画素７２の光出射側に設けられ、第２サブ画素７２から第１画像が観察される観察位置に向かう第１方向に出射される光を遮断する遮光部材３３とを備える。反射手段４は、サブ画素７２から第１方向とは異なる第２方向に出射された光を観察位置に向かって反射させる。【選択図】図４
2011224290.tif 000002
【特許請求の範囲】
【請求項１】
画像表示装置であって、
画像を表示する装置本体と、
前記装置本体から入射される光を反射させる反射手段とを備え、
前記装置本体は、
第１画像を形成する第１サブ画素、及び、第２画像を形成する第２サブ画素をそれぞれ有する複数の画素と、
前記第２サブ画素の光出射側に設けられ、前記第２サブ画素から前記第１画像が観察される観察位置に向かう第１方向に出射される光を遮断する遮光手段とを備え、
前記反射手段は、前記第２サブ画素から前記第１方向とは異なる前記第２方向に出射された光を前記観察位置に向かって反射させる
ことを特徴とする画像表示装置。
【請求項２】
請求項１に記載の画像表示装置において、
前記反射手段は、複数の反射部材を有し、
前記複数の反射部材は、前記複数の画素が配列され、前記第１画像及び前記第２画像が形成される画像形成領域を挟んでそれぞれ対向配置されている
ことを特徴とする画像表示装置。
【請求項３】
請求項１または請求項２に記載の画像表示装置において、
前記第２方向に出射される光の光路外に前記反射手段を移動させる移動手段を有する
ことを特徴とする画像表示装置。
【請求項４】
請求項１から請求項３のいずれかに記載の画像表示装置において、
前記反射手段での前記第１サブ画素から入射される光の反射を抑制する反射抑制手段を有する
ことを特徴とする画像表示装置。
【請求項５】
請求項１から請求項４のいずれかに記載の画像表示装置において、
複数の前記第２サブ画素のうち、互いに近接して配置される３つの第２サブ画素は、それぞれ、赤の色光を出射する赤用サブ画素、緑の色光を出射する緑用サブ画素、及び、青の色光を出射する青用サブ画素である
ことを特徴とする画像表示装置。
【請求項６】
請求項１から請求項４のいずれかに記載の画像表示装置において、
前記第２サブ画素は、それぞれ独立して駆動して、赤の色光を出射する赤用サブ画素、緑の色光を出射する緑用サブ画素、及び、青の色光を出射する青用サブ画素を有する
ことを特徴とする画像表示装置。
【請求項７】
請求項１から請求項６のいずれかに記載の画像表示装置を備えることを特徴とする遊技機。
【発明の詳細な説明】
【技術分野】
【０００１】
本発明は、画像を表示する画像表示装置、および、当該画像表示装置を備えた遊技機に関する。
【背景技術】
【０００２】
従来、遊技盤に設けられた入賞口に遊技球が入賞すると、当該入賞した遊技球の球数に応じて遊技球を払い出すパチンコ機や、抽選動作を停止させて、所定の絵柄が揃った場合に所定枚数のコインを払い出すパチスロ機等の遊技機が知られている。このうち、パチンコ機として、液晶パネル等の画像表示装置を備えたパチンコ遊技機が知られている（例えば、特許文献１参照）。
この特許文献１に記載のパチンコ遊技機では、当該画像表示装置を制御装置による制御下で、当該表示装置が絵柄および数字がスクロールするような抽選画像や大当たり画像等の形成、表示が実行されるように構成されており、遊技性が高められている。
【先行技術文献】
【特許文献】
【０００３】
【特許文献１】特開２００１−１１２９３８号公報（第４頁、図１）
【発明の概要】
【発明が解決しようとする課題】
【０００４】
しかしながら、前述の特許文献１に記載のパチンコ遊技機では、画像表示装置により、抽選画像やリーチ画像等を多彩にしても、遊技機自体の演出が単調となりやすく、遊技者に飽きられやすい、という問題がある。
【０００５】
本発明の目的は、多彩な画像表示を行うことができる画像表示装置および遊技機を提供することにある。
【課題を解決するための手段】
【０００６】
本発明は、画像表示装置であって、画像を表示する装置本体と、前記装置本体から入射される光を反射させる反射手段とを備え、前記装置本体は、第１画像を形成する第１サブ画素、及び、第２画像を形成する第２サブ画素をそれぞれ有する複数の画素と、前記第２サブ画素の光出射側に設けられ、前記第２サブ画素から前記第１画像が観察される観察位置に向かう第１方向に出射される光を遮断する遮光手段とを備え、前記反射手段は、前記第２サブ画素から前記第１方向とは異なる前記第２方向に出射された光を前記観察位置に向かって反射させることを特徴とする。
【０００７】
ここで、観察位置とは、観察者が画像表示装置により表示される画像を観察する位置であり、例えば、装置本体において各画素が平面状に配列され、当該各画素により第１画像及び第２画像が形成される画像形成領域の中央を通り、かつ、当該画像形成領域の面に対して直交する直線上の位置を例示できる。
【０００８】
本発明によれば、装置本体は、第１サブ画素で形成した第１画像としての光を観察位置に向かう第１方向に出射する。これにより、観察位置にいる観察者は、装置本体を直視することで、第１画像を観察できる。
第２サブ画素で形成された第２画像としての光のうち、第１方向へ出射された光は遮光手段で遮断されるが、当該第１方向とは異なる第２方向へ出射された光は遮光手段で遮断されずに反射手段に入射され、当該反射手段により観察位置に向かって反射されるので、当該観察位置で、当該第２画像を虚像として観察できる。一方、第２サブ画素により第２画像を形成しない場合（黒画像を形成する場合も含む）には、反射手段に第２サブ画素からの光が入射されない。
【０００９】
このように、１つの装置本体によって第１画像及び第２画像を表示できるほか、第２画像を表示する場合と表示しない場合とを切り替えることができるので、多彩な画像表示を行うことができる。また、このような画像表示装置を遊技機に採用することにより、演出を多彩にでき、当該遊技機の興趣性を高めることができる。
【００１０】
本発明の画像表示装置では、前記反射手段は、複数の反射部材を有し、前記複数の反射部材は、前記複数の画素が配列され、前記第１画像及び前記第２画像が形成される画像形成領域を挟んでそれぞれ対向配置されていることが好ましい。
本発明によれば、複数の反射部材が画像形成領域を挟んでそれぞれ対向配置されている。これによれば、画像形成領域を区分けして、対向配置された一方の反射部材側に配設された第２サブ画素により形成される第２画像を当該一方の反射部材で観察位置に向かって反射させ、他方の反射部材側に配設された第２サブ画素により形成される第２画像を当該他方の反射部材で観察位置に向かって反射させることができる。このため、一方の反射部材と他方の反射部材とで、それぞれ異なる位置に、それぞれ異なる第２画像を虚像として表示することができる。従って、画像表示をより多彩にできるほか、画像表示装置が遊技機に採用された場合に、当該遊技機の興趣性を一層高めることができる。
【００１１】
本発明の画像表示装置では、前記第２方向に出射される光の光路外に前記反射手段を移動させる移動手段を有することが好ましい。
本発明によれば、第２画像を表示させたい場合に、移動手段により反射手段を第２方向に出射される光の光路上、すなわち、当該第２画像の光が入射される位置に移動させることで、虚像として観察される第２画像を表示させることができる。一方、第２画像を表示させたくない場合には、当該移動手段により反射手段を当該光路外、すなわち第２画像の光が入射されない位置に移動させることで、当該第２画像を表示させないようにすることができる。従って、反射手段の移動と合わせて、第２画像の表示及び非表示を切り替えることができるので、画像表示をより多彩にできるほか、画像表示装置が遊技機に採用された場合に、当該遊技機の興趣性を一層高めることができる。
【００１２】
本発明の画像表示装置では、前記反射手段での前記第１サブ画素から入射される光の反射を抑制する反射抑制手段を有することが好ましい。
ここで、反射抑制手段としては、例えば、位相差板等によって第１画像としての光と第２画像としての光の偏光方向を異ならせ、第２画像としての光を偏光ビームスプリッター（ＰＢＳ）等で選択して反射させる構成や、偏光板及び反射板により選択して反射させる構成が挙げられる。
本発明によれば、第１画像としての光が反射手段で反射されるのを防止できるので、反射手段に虚像として第２画像のみを確実に表示でき、観察者は、鮮明な第２画像を観察できる。
【００１３】
本発明の画像表示装置では、複数の前記第２サブ画素のうち、互いに近接して配置される３つの第２サブ画素は、それぞれ、赤の色光を出射する赤用サブ画素、緑の色光を出射する緑用サブ画素、及び、青の色光を出射する青用サブ画素であることが好ましい。
本発明によれば、近接して配置された３つの第２サブ画素が、赤用サブ画素、緑用サブ画素及び青用サブ画素として機能することにより、これら３つの第２サブ画素を１画素としてカラー画像である第２画像を形成できる。
【００１４】
本発明の画像表示装置では、前記第２サブ画素は、それぞれ独立して駆動して、赤の色光を出射する赤用サブ画素、緑の色光を出射する緑用サブ画素、及び、青の色光を出射する青用サブ画素を有することが好ましい。
本発明によれば、第２サブ画素は、それぞれ独立して駆動する赤用サブ画素、緑用サブ画素、及び、青用サブ画素を有するため、１つの第２サブ画素から赤、緑及び青の色光を出射できる。従って、前述の３つの第２サブ画素により１画素を構成する場合に比べて、高精細なカラー画像を第２画像として形成できる。
【００１５】
本発明の遊技機は、前述した画像表示装置を備えることを特徴とする。
本発明によれば、前述の画像表示装置と同様の効果を奏することができる。
【図面の簡単な説明】
【００１６】
【図１】本発明の第１実施形態に係る遊技機を示す概要斜視図。
【図２】前記実施形態における画像表示装置の構成を模式的に示す図。
【図３】前記実施形態における液晶パネルの構成を説明するための図。
【図４】前記実施形態における液晶パネルの構成を説明するための図。
【図５】前記実施形態における画像の見え方を説明する図。
【図６】前記実施形態における画像の見え方を説明する図。
【図７】本発明の第２実施形態での画像表示装置の構成を説明するための図。
【図８】本発明の第３実施形態での画素の構成を説明するための図。
【図９】本発明の第４実施形態での画素の構成を説明するための図。
【図１０】本発明の変形例での画像表示装置における画像の見え方を説明する図。
【発明を実施するための形態】
【００１７】
〔第１実施形態〕
以下、本発明の第１実施形態を、図面に基づいて説明する。
〔遊技機の概略構成〕
図１は、本実施形態に係る遊技機１を示す斜視図である。
本実施形態に係る遊技機１は、図１に示すように、ハンドル１１の操作に応じて射出装置（図示省略）により射出された遊技球が、遊技盤１２の盤面上を落下しつつ移動して、所定の入賞口に入賞した場合に所定数の遊技球を払い出すパチンコ機として構成されている。この遊技盤１２の盤面には、略円形状の側壁１３によって囲まれた遊技領域１４が形成されている。この遊技領域１４の略中央には、略横長長方形状の開口部１５が形成され、当該開口部１５の位置に応じた遊技盤１２の背面には、画像表示装置２が配置される。
【００１８】
〔画像表示装置の構成〕
図２は、画像表示装置２の構成を模式的に示す図である。具体的に、図２は、遊技機１に配置された状態における画像表示装置２を上方（図１における上方）から見た平面図である。
画像表示装置２は、遊技球の入賞による抽選結果等に応じたコマンドの入力を受け、該コマンドに応じた画像を表示する。
【００１９】
この画像表示装置２は、図２に示すように、画像を表示する装置本体３と、当該装置本体３から入射される光（主に後述する第２画像を形成する光）を反射させる反射手段４と、画像表示装置２全体を制御する制御手段５と、反射手段４を移動させる移動手段６とを備えて構成されている。このような画像表示装置２は、遊技者（観察者）に対して、装置本体３及び反射手段４に映し出される画像によって各種情報を提供する。
【００２０】
〔装置本体の構成〕
装置本体３は、後述する画素７が配列された画像形成領域ＤＡが正面側（遊技者側）を向くように配置されている。この装置本体３は、バックライト３１、液晶パネル３２及び遮光手段としての遮光部材３３を有し、これらバックライト３１、液晶パネル３２及び遮光部材３３は一体化されている。
このうち、バックライト３１は、詳しい図示を略したが、略Ｗ字状に曲折された冷陰極管と、この冷陰極管の背面側に設けられるリフレクターから構成され、冷陰極管に電圧印加して生じた放電光を、リフレクターで反射して液晶パネル３２側に射出する。なお、バックライト３１は、このような構成に限らず、Ｌ字状又はＵ字状のエッジタイプの冷陰極管と導光板との組み合わせや、冷陰極管及びリフレクターに代えて、複数のＬＥＤ(Light Emitting Diode)等の固体光源が複数配設された構成を有していてもよい。
【００２１】
〔液晶パネルの構成〕
図３及び図４は、液晶パネル３２の構成を説明するための模式図である。具体的に、図３は、液晶パネル３２の画素７を斜め方向から見た斜視図であり、図４は、画像表示装置２の横方向の断面の一部を示す図である。
液晶パネル３２は、固定画素型の画像形成デバイスであり、図示を略したが、一対の透明基板間に密閉封入された液晶に電圧を印加するＴＦＴ（Thin Filmed Transistor）をスイッチング素子とする。そして、そのＴＦＴのスイッチングにより各画素７に印加される電圧が変化して液晶の配向状態が変化することにより、入射光束を前述の制御手段５から入力される画像データに応じて変調することが可能となる。この液晶パネル３２は、平面状に配列された複数の画素７により矩形状に形成され、当該各画素７により画像が形成される画像形成領域ＤＡを有する。
【００２２】
各画素７は、図３及び図４に示すように、第１サブ画素としてのサブ画素７１及び第２サブ画素としてのサブ画素７２により構成されている。
サブ画素７１は、画像形成領域ＤＡに正対する観察位置に位置する遊技者により直視される第１画像（例えば、後述する図５及び図６に示す「ルーレット画面」等のメイン画像Ｐ１）を形成する。なお、観察位置とは、観察者が画像表示装置２により表示される画像を観察可能な位置であり、本実施形態では、図２に示すように、液晶パネル３２の画像形成領域ＤＡの中央を通り、かつ、当該画像形成領域ＤＡの面に対して直交する直線上の位置である。
【００２３】
このサブ画素７１は、赤（Ｒ）用のサブ画素７１Ｒ、緑（Ｇ）用のサブ画素７１Ｇ、及び、青（Ｂ）用のサブ画素７１Ｂによって構成されている。これらサブ画素７１Ｒ，７１Ｇ，７１Ｂは、図示を省略するが、光出射側にそれぞれ対応する色のカラーフィルターを有し、サブ画素７１Ｒは赤の色光を出射し、サブ画素７１Ｇは緑の色光を出射し、サブ画素７１Ｂは青の色光を出射する。このような構成により、サブ画素７１は、カラー画像である第１画像を形成する。
【００２４】
サブ画素７２は、後述する反射手段４により反射されることで、観察位置に位置する遊技者に虚像として観察される第２画像（例えば、図６における「リーチ画面」等のサブ画像Ｐ２及びＰ３）を形成する。
このサブ画素７２は、白（Ｗ）の色光を出射する。これにより、サブ画素７２は、白黒画像である第２画像を形成する。
【００２５】
〔遮光部材の構成〕
遮光部材３３は、液晶パネル３２の各画素７から出射される光の進行を規制するものであり、図４に示すように、液晶パネル３２における画像形成領域ＤＡの光出射側に設けられている。
この遮光部材３３は、入射される光を遮断する遮光部３３１と、入射される光を透過させる透過部３３２とを有している。具体的に、この遮光部材３３は、透光性フィルム上に遮光材料を塗布することで形成され、遮光材料の塗布部分を遮光部３３１とし、遮光材料の塗布部分以外の部分を透過部３３２とすることができる。
【００２６】
遮光部３３１は、図３及び図４に示すように、サブ画素７２の光出射側に配設されている。具体的に、遮光部３３１は、サブ画素７２の光出射面よりも若干小さく構成され、当該光出射面と中心が一致するように設けられている。そして、遮光部３３１は、図４に示すように、サブ画素７２から出射される光のうち、前述の観察位置に向かう第１方向に出射される光（図４における二点鎖線で示す光Ｌ２Ａ）を遮断する。
【００２７】
透過部３３２は、光を透過させる材料で形成されている。具体的に、透過部３３２は、遮光部材３３における遮光部３３１以外の部分を構成する。そして、透過部３３２は、図４に示すように、各サブ画素７１Ｒ，７１Ｇ，７１Ｂから出射される光（図４における実線で示す光Ｌ１）及び、サブ画素７２から出射される光のうち、第１方向とは異なる方向である第２方向（具体的には、当該第１方向に対して傾斜し、サブ画素７２の外側に向かう方向）に進行する光（図３及び図４における実線で示す光Ｌ２Ｂ）を透過させる。
このため、サブ画素７２から出射される光のうち、第２方向に進行する光が、装置本体３から出射される。
【００２８】
〔反射手段の構成〕
反射手段４は、液晶パネル３２の画像形成領域ＤＡで形成される画像の光のうち、第２方向に出射された光を前述の観察位置に反射させる。詳述すると、反射手段４は、主にサブ画素７２により形成され、遮光部３３１により遮光されなかった第２画像の光（第２方向に進行する光）を観察位置に反射させる。この反射手段４は、図２に示すように、装置本体３の左方及び右方に、それぞれの反射面が当該装置本体３を挟んで対向配置されるように一対の反射部材４１，４２（装置本体３の左側に配置される反射部材を４１とし、右側に配置される反射部材を４２とする）を有する。これら反射部材４１，４２は、それぞれ全反射ミラーで構成されている。
【００２９】
これら反射部材４１，４２の反射面４１１，４２１は、当該装置本体３から出射された光を反射させて、遊技者により観察できるように、互いに対向配置されている。
また、これら反射部材４１，４２は、それぞれの反射面４１１，４２１が、画像形成領域ＤＡに直交するように配置されている。
そして、これら反射部材４１，４２は、それぞれ装置本体３の画像形成領域ＤＡで形成された第２画像の光が入射可能な寸法で、かつ、当該第２画像の光を遊技者側に反射可能な寸法で形成されている。具体的に、反射部材４１は、画像形成領域ＤＡの左側の領域で形成された第２画像の光が入射可能で、かつ、当該第２画像の光を遊技者側に反射可能に形成され、反射部材４２は、画像形成領域ＤＡの右側の領域で形成された第２画像の光が入射可能で、かつ、当該第２画像の光を遊技者側に反射可能に形成されている。
【００３０】
このような反射部材４１，４２は、移動手段６により画像形成領域ＤＡに直交する方向に進退される。なお、図２中の破線で示すように、移動手段６によって、第２方向に出射された光の光路外、すなわち、第２方向に出射された第２画像が入射しない奥側の位置に反射部材４１，４２を移動させた状態では、当該反射部材４１，４２による第２画像の表示は行われない。このような移動手段６は、例えばステッピングモーターで構成され、制御手段５により動作が制御される。
【００３１】
〔第２画像を形成する光の光路〕
ここで、図４を参照して、第１画像を形成する光の光路及び、第２画像を形成する光の光路について詳細に説明する。
サブ画素７１Ｒ，７１Ｇ，７１Ｂで形成された第１画像としての光Ｌ１は、遮光部材３３の透過部３３２を透過して主に第１方向に出射される。このため、当該第１画像は、装置本体３を遊技者が直視することで観察される。
【００３２】
また、サブ画素７２で形成された第２画像としての光のうち、第１方向に沿って進行する光Ｌ２Ａは、遮光部材３３の遮光部３３１によって遮光される。しかしながら、サブ画素７２の光出射面の外周部が開放されていることで、前述の第２方向に沿って進行する光Ｌ２Ｂは、遮光部３３１により遮断されずに、透過部３３２を透過する。そして、当該光Ｌ２Ｂは、前述したように装置本体３から出射された後、反射部材４１，４２により観察位置に向かって反射される。このため、第２画像は、遊技者により虚像として観察される。
【００３３】
図５及び図６は、画像表示装置２で形成された画像の見え方を説明する図である。具体的に、図５は、第１観察モードでの見え方を示し、図６は、第２観察モードでの見え方を示す。なお、図５及び図６は、反射部材４１，４２が観察者側に進行した状態で観察される画像を示す。
ここで、第１観察モードとは、第１画像を観察させるモードであり、第２観察モードとは、第１画像及び第２画像を観察させるモードである。
【００３４】
第１観察モードでは、前述した制御手段５によって、第２画像として、全面が黒地の画像を形成するようにサブ画素７２が制御される。このため、第１観察モードでは、反射部材４１，４２には、サブ画素７２からの光はほぼ入射されないので、当該反射部材４１，４２は、サブ画素７１から入射される光を主に反射させる。これにより、観察者は、装置本体３を見ることで、当該装置本体３に表示された第１画像「７７７」を観察できるとともに、反射手段４を見ることで、第１画像「７７７」が左右反転した第１画像を観察できる。
【００３５】
第２観察モードでは、第２画像として、白黒による文字、図形等の画像を形成するようにサブ画素７２が制御される。このため、サブ画素７２からの光が反射部材４１，４２に入射されるので、当該第２観察モードでは、図６に示すように、反射部材４１，４２を見た場合に第２画像が主に観察される。これにより、観察者は、装置本体３を見ることで、第１画像（図６における「７７７」のメイン画像Ｐ１）を観察できるとともに、反射手段４を見ることで、第２画像（図６におけるサブ画像Ｐ２，Ｐ３）を観察できる。具体的に、遊技者は、左側に位置する反射部材４１を観察することで、画像形成領域ＤＡの左側の領域で形成された第２画像（「チャンス」という文字が記されたサブ画像Ｐ２）を観察でき、右側に位置する反射部材４２を観察することで、画像形成領域ＤＡの右側の領域で形成された第２画像（「大当たり確率１００％！」という文字が記されたサブ画像Ｐ３）を観察できる。
【００３６】
以上説明した本実施形態の遊技機１によれば、以下の効果を奏することができる。
１つの装置本体３によって第１画像及び第２画像を表示できるほか、第２画像を表示する場合と表示しない場合とを切り替えることができるので、多彩な画像表示を行うことができる。画像表示装置２を遊技機１に採用していることにより、演出を多彩にでき、遊技機１の興趣性を高めることができる。
【００３７】
また、反射部材４１と反射部材４２とで、それぞれ異なる位置に、それぞれ異なる第２画像を虚像として表示することができるので、画像表示をより多彩にできる。画像表示装置２を遊技機１に採用していることにより、遊技機１の興趣性を一層高めることができる。
さらに、移動手段６による反射手段４の移動と合わせて、第２画像の表示及び非表示を切り替えることができるので、画像表示をより多彩にできる。画像表示装置２を遊技機１に採用していることにより、遊技機１の興趣性を一層高めることができる。
【００３８】
〔第２実施形態〕
次に、本発明の第２実施形態について説明する。
本実施形態に係る遊技機は、前述の遊技機１と同様の構成を備える。しかしながら、本実施形態の遊技機が備える画像表示装置は、反射部材での第１画像の反射を抑制する反射抑制手段を有する点で、第１実施形態の遊技機１と相違する。なお、以下の説明では、既に説明した部分と同一または略同一である部分については、同一の符号を付して説明を省略する。
【００３９】
図７は、本実施形態に係る画像表示装置２Ａの構成を説明するための図である。
本実施形態に係る遊技機は、画像表示装置２に代えて画像表示装置２Ａを備えるほかは、前述の遊技機１と同様の構成及び機能を有する。また、画像表示装置２Ａは、反射手段４に代えて設けられる反射手段４Ａと１／２波長板８１とを有する反射抑制手段８を備えるほかは、画像表示装置２と同様の構成及び機能を有する。
反射抑制手段８は、装置本体３Ａから出射される光の偏光方向の違いを利用して反射手段４Ａでの第１画像の反射を抑制する。
なお、以下では、サブ画素７１及びサブ画素７２から出射される光が全てＳ偏光である場合について説明する。
【００４０】
反射抑制手段８は、位相差板である１／２波長板８１と、反射手段４Ａとによって構成される。
１／２波長板８１は、サブ画素７１の光出射側に設けられ、当該サブ画素７１から入射される光Ｌ１の偏光方向を９０°回転させ、当該光Ｌ１をＰ偏光に変換して出射する。
反射手段４Ａは、図７に示すように、反射部材４１，４２に代えて設けられる一対の反射部材（図７では、右側に配置される反射部材４２Ａのみ図示）を有し、当該各反射部材は、反射部材４１，４２と同様に、画像形成領域ＤＡを挟むように互いに対向配置される。
【００４１】
このうち、反射部材４２Ａは、装置本体３を向く面（互いに対向する面）に、偏光分離層４３と、光吸収層４４とを有する。
偏光分離層４３は、Ｓ偏光を反射させ、Ｐ偏光を透過させる。
光吸収層４４は、偏光分離層４３を透過した光（すなわちＰ偏光）を吸収する。
【００４２】
このように構成された画像表示装置２Ａでは、光Ｌ２ＢはＳ偏光であるため、反射部材４２Ａの偏光分離層４３により、観察位置に反射される。
一方、光Ｌ１は、１／２波長板８１によりＰ偏光に変換されるため、偏光分離層４３を透過する。この偏光分離層４３を透過した光Ｌ１は、光吸収層４４で吸収される。このため、光Ｌ１が反射部材４２Ａで反射されることを防止できる。
なお、図７では、画像形成領域ＤＡの右側の反射部材４２Ａを示したが、当該反射部材４２Ａに対向配置される反射部材についても、反射部材４２Ａと同様の構成である。
【００４３】
以上説明した本実施形態に係る遊技機によれば、前述の遊技機と同様の効果を奏することができるほか、以下の効果を奏することができる。
第１画像としての光Ｌ１は、偏光分離層４３を透過した後、光吸収層４４で吸収されるため、第１画像としての光Ｌ１が反射手段４Ａで反射されるのを防止でき、第２画像としての光Ｌ２Ｂは、偏光分離層４３で観察位置に反射されるため、反射手段４Ａに虚像として第２画像のみを確実に表示でき、観察者は、鮮明な第２画像を観察できる。
【００４４】
〔第３実施形態〕
次に、本発明の第３実施形態について説明する。
本実施形態に係る遊技機は、前述の遊技機１と同様の構成を備える。ここで、当該遊技機１の画像表示装置２は、白黒の第２画像を形成する構成であった。これに対し、本実施形態の遊技機が備える画像表示装置２Ｂは、カラー画像である第２画像を形成する。この点で、本実施形態に係る遊技機と第１実施形態および第２実施形態に係る遊技機とは相違する。なお、以下の説明では、既に説明した部分と同一または略同一である部分については、同一の符号を付して説明を省略する。
【００４５】
本実施形態に係る遊技機は、画像表示装置２に代えて画像表示装置２Ｂを備えるほかは、前述の遊技機１と同様の構成及び機能を有する。また、画像表示装置２Ｂは、装置本体３に代えて装置本体３Ｂを有するほかは、画像表示装置２と同様の構成を備え、装置本体３Ｂは、液晶パネル３２に代えて液晶パネル３２Ｂを備えるほかは、装置本体３と同様の構成を備える。
【００４６】
図８は、本実施形態での画素７Ｂの構成を示す図である。
液晶パネル３２Ｂは、サブ画素７１及び第２のサブ画素としてのサブ画素７３により構成される画素７Ｂが平面状に複数配列された矩形状の画像形成領域ＤＡを有する。具体的に、画素７Ｂは、サブ画素７１及びサブ画素７３を横方向に配置することで構成され、画像形成領域ＤＡは、この画素７Ｂを縦方向及び横方向に複数配置することで形成されている。
【００４７】
そして、互いに近接された３つのサブ画素７３（縦方向に並んだ３つのサブ画素７３）により第２画像の１画素（ピクセル）が形成され、これら３つのサブ画素７３は、光出射側に赤、緑及び青のカラーフィルターが配置された赤用のサブ画素７３Ｒ、緑用のサブ画素７３Ｇ及び青用のサブ画素７３Ｂで構成されている。なお、これらサブ画素７３Ｒ，７３Ｇ，７３Ｂは、それぞれ独立して駆動される。
【００４８】
以上説明した本実施形態に係る遊技機によれば、前述の遊技機と同様の効果を奏することができるほか、以下の効果を奏することができる。
サブ画素７３Ｒは、赤（Ｒ）の色光を形成し、サブ画素７３Ｇは、Ｇ（緑）の色光を形成し、サブ画素７３Ｂは、Ｂ（青）の色光を形成する。これにより、近接して配置された３つのサブ画素７３が、赤用のサブ画素７３Ｒ、緑用のサブ画素７３Ｇ及び青用のサブ画素７３Ｂとして機能することにより、これら３つのサブ画素７３を１画素としてカラー画像である第２画像を形成できる。
【００４９】
〔第４実施形態〕
次に、本発明の第４実施形態について説明する。
本実施形態に係る遊技機は、前述の遊技機１と同様の構成を備える。ここで、前述した画像表示装置２Ｂは、３種類のサブ画素７３（サブ画素７３Ｒ，７３Ｇ，７３Ｂ）を用いてカラー画像である第２画像を形成した。これに対し、本実施形態の遊技機が備える画像表示装置は、１種類の第２サブ画素でカラー画像である第２画像を形成する。この点で、本実施形態に係る遊技機と第３実施形態に係る遊技機とは相違する。なお、以下の説明では、既に説明した部分と同一または略同一である部分については、同一の符号を付して説明を省略する。
【００５０】
図９は、本実施形態における画素７Ｃの構成を説明するための図である。
本実施形態に係る遊技機は、複数の画素７Ｂに代えて複数の画素７Ｃにより構成される画像形成領域ＤＡを有する液晶パネルを備えるほかは、前述の遊技機と同様の構成及び機能を備える。
このうち、１つの画素７Ｃは、図９に示すように、前述した３つのサブ画素７１Ｒ，７１Ｇ，７１Ｂにより構成されるサブ画素７１と、１つの第２サブ画素としてのサブ画素７４とで構成されている。
このサブ画素７４は、光出射側にそれぞれ赤、緑、及び、青のカラーフィルターが配された３つの赤用の分割サブ画素７４Ｒ、緑用の分割サブ画素７４Ｇ、及び、青用の分割サブ画素７４Ｂを有し、各分割画素は独立して駆動される。
【００５１】
以上説明した本実施形態に係る遊技機によれば、前述の遊技機と同様の効果を奏することができるほか、以下の効果を奏することができる。
サブ画素７４は、それぞれ独立して駆動する赤用の分割サブ画素７４Ｒ、緑用の分割サブ画素７４Ｇ、及び、青用の分割サブ画素７４Ｂを有するため、１つのサブ画素７４から赤、緑及び青の色光を出射できる。従って、前述の第３実施形態の場合に比べて、高精細なカラー画像を第２画像として形成できる。
【００５２】
〔実施形態の変形〕
本発明は前述の各実施形態に限定されるものではなく、本発明の目的を達成できる範囲での変形、改良等は本発明に含まれるものである。
前記各実施形態では、装置本体３の左右に互いに対向するように反射部材を配置したが、本発明はこれに限らない。
図１０は、前記各実施形態で示した画像表示装置２，２Ａ，２Ｂの変形である画像表示装置を示す図である。例えば、図１０に示すように、画像形成領域ＤＡの左右に互いに対向するように一対の反射部材４１，４２を設けるだけでなく、当該画像形成領域ＤＡの上下に互いに対向するように一対の反射部材４５，４６を設けてもよい。この場合、画像形成領域ＤＡを各反射部材の反射面の位置に合わせて適切に区分け（例えば、図１０中の数字の対応に区分け）することで、各反射面に表示される画像を異なるものとすることができる。なお、これら反射部材を前述の反射部材４２Ａと同様の構成の反射部材とし、画像形成領域ＤＡに前述の１／２波長板を設けてもよい。
【００５３】
前記各実施形態では、反射手段４について、移動手段６によって画像形成領域ＤＡに直交する方向に進退させる構成について例示したが、これに限らない。例えば、各反射部材の端部に回動軸を設け、当該回動軸を中心として反射部材を回動させたり、画像形成領域ＤＡに沿うように上下方向に移動させたりする構成により、装置本体３から第２方向に出射される光の光路外に反射手段４を移動させてもよい。
【００５４】
前記第２実施形態では、１／２波長板８１と、各反射部材の偏光分離層４３及び光吸収層４４とで反射抑制手段８を構成したが、本発明は、これに限らない。例えば、偏光分離層４３に代えて、Ｓ偏光を透過させ、Ｐ偏光を吸収する偏光層を採用し、光吸収層４４に代えて、光反射層を採用しても同様の効果を得ることができる。
【００５５】
前記各実施形態では、装置本体３，３Ａ，３Ｂは、液晶パネル３２，３２Ｂを備える構成としたが、本発明ではこれに限らず、装置本体は、液晶パネルに代えて、有機ＥＬ（Electro Luminescence）やプラズマ等の各種画像表示パネルを用いてもよい。なお、有機ＥＬを用いた場合には、バックライト３１を省略した構成とすることができる。
【００５６】
前記各実施形態では、画像表示装置２，２Ａ，２Ｂを遊技機に採用した例を挙げたが、本発明はこれに限らない。すなわち、本発明の画像表示装置を単体で利用することができるほか、自動車や電子機器に本発明の画像表示装置を採用してもよい。
また、前記各実施形態では、遊技機１としてパチンコ機を例示したが、本発明はこれに限らない。すなわち、本発明をピンボール、スマートボール及びアレンジボール等に適用することも可能である。
【産業上の利用可能性】
【００５７】
本発明は、画像表示装置に利用でき、例えば、パチンコ機等の遊技機に好適に利用できる。
【符号の説明】
【００５８】
１…遊技機、２，２Ａ，２Ｂ…画像表示装置、３，３Ａ，３Ｂ…装置本体、４，４Ａ…反射手段、６…移動手段、７，７Ｂ，７Ｃ…画素、８…反射抑制手段、３３…遮光部材（遮光手段）、４１，４２，４２Ａ，４５，４６…反射部材、７１…サブ画素（第１サブ画素）、７２，７３，７４…サブ画素（第２サブ画素）、７３Ｒ…サブ画素（赤用サブ画素）、７３Ｇ…サブ画素（緑用サブ画素）、７３Ｂ…サブ画素（青用サブ画素）、７４Ｒ…分割サブ画素（赤用サブ画素）、７４Ｇ…分割サブ画素（緑用サブ画素）、７４Ｂ…分割サブ画素（青用サブ画素）、ＤＡ…画像形成領域。
【図１】
2011224290.tif 000003
【図２】
2011224290.tif 000004
【図３】
2011224290.tif 000005
【図４】
2011224290.tif 000006
【図５】
2011224290.tif 000007
【図６】
2011224290.tif 000008
【図７】
2011224290.tif 000009
【図８】
2011224290.tif 000010
【図９】
2011224290.tif 000011
【図１０】
2011224290.tif 000012